(57)【要約】【課題】患者がナースコール子機を握っている場合でも、ナースコール子機がベッド上に置かれている場合でも、患者が容易かつ確実に呼出操作を行えるようにする。【解決手段】第一の呼出操作部３ａを設けた第一の筐体２ａの第二の筐体２ｂと対向する面がＳ極となるように第一の磁石４ａを第一の筐体２ａに取り付け、第二の呼出操作部３ｂを設けた第二の筐体２ｂの第一の筐体２ａと対向する面がＮ極となるように第二の磁石４ｂを第二の筐体２ｂに取り付けたので、各筐体２ａ、２ｂが着脱可能となり、何れの筐体２ａ、２ｂにおいて呼出操作が可能となって、患者がナースコール子機１を握って使用する場合には、各筐体２ａ、２ｂを一体とした状態で使用することができる。また、ベッド上に置いて使用する場合には、各筐体２ａ、２ｂを分離して、第一の筐体２ａをベッド上の右側に置き、第二の筐体２ｂをベッド上の左側に置いて使用することができる。【選択図】図１
2017000212.tif 000002
【特許請求の範囲】
【請求項１】
呼び出しの操作を行うための第一の呼出操作部を備えた第一の筐体と、呼び出しの操作を行うための第二の呼出操作部を備えた第二の筐体とを備えたナースコール子機であって、
前記第一の筐体および前記第二の筐体の対向する面の一方に磁石のＳ極およびＮ極の何れか一方を取り付け、前記対向する面の他方に前記磁石の他方の極を取り付けたことを特徴とするナースコール子機。
【請求項２】
呼び出しの操作を行うための第一の呼出操作部を備えた第一の筐体と、呼び出しの操作を行うための第二の呼出操作部を備えた第二の筐体とを備えたナースコール子機であって、
前記第一の筐体および前記第二の筐体の対向する面の一方に面ファスナーのフック側およびループ側の何れか一方を取り付け、前記対向する面の他方に前記面ファスナーの他方の側を取り付けたことを特徴とするナースコール子機。
【発明の詳細な説明】
【技術分野】
【０００１】
本発明は、ナースコール子機に関し、特に、筐体に設けた呼出操作部の操作によって、患者が看護師への呼出操作を行うことができるように成されたナースコール子機に用いて好適なものである。
【背景技術】
【０００２】
一般に、病院や介護施設などでは、ナースコールシステムが用いられている。ナースコールシステムは、病院の患者が看護師のサポートを必要とする際、または介護施設の被介護者が介護師のサポートを必要とする際に、患者や被介護者（以下、単に患者と記載する）が呼出ボタンを押下することによって看護師や介護師（以下、単に看護師と記載する）を呼び出すことができるように成されたシステムである。
【０００３】
多くのナースコールシステムは、病室のベッド近傍やトイレ、浴室などに設置されるナースコール子機と、ナースステーションに設置されるナースコール親機と、病室や介護室等の各部屋の入口付近に設置される廊下灯と、通話やデータの送受信に関する制御を行う制御機とを備えて構成されている。また、上述した構成に加えて、看護師が携行する携帯端末（例えば、ＰＨＳ（Personal Handy phone System）端末など）とＰＢＸ（Private Branch Exchange：電話交換機）とを備えたナースコールシステムも提供されている。ここで、ナースコール子機としては、呼出ボタンなどの呼出操作部を有するものがある。
【０００４】
ところで、呼出操作部を有するナースコール子機の筐体は、患者がいつでも操作できるように、ベッド上に置かれることがある。このような場合に、呼出操作部がベッドに対向しないように筒状の筐体の端部に呼出操作部を設ける握り押しボタンと呼ばれるナースコール子機が知られている。この握り押しボタンと呼ばれるナースコール子機は、患者によって常に握られて使用される。また、呼出操作部をナースコール子機の筐体の表面に設け、ナースコール子機をベッドの上に置いたときに、表面に配置された呼出操作部が上を向くようにすることで、患者が呼出操作部を操作し易いようにしたナースコール子機も知られている（例えば、特許文献１を参照）。
【先行技術文献】
【特許文献】
【０００５】
【特許文献１】特開平１０−１６５３７６号公報
【発明の概要】
【発明が解決しようとする課題】
【０００６】
しかしながら、ナースコール子機をベッド上に置く場合、患者の右側および左側の何れか一方にナースコール子機が置かれてしまうと、患者が横向きに寝ているときに患者の視界にナースコール子機が存在しなくなってしまうケースが生じるため、患者は呼出操作部を容易に操作することができなくなってしまうという問題があった。
【０００７】
本発明は、このような問題を解決するために成されたものであり、患者がナースコール子機を握っている場合でも、ナースコール子機がベッド上に置かれている場合でも、患者が容易かつ確実に呼出操作を行うことができるようにすることを目的とする。
【課題を解決するための手段】
【０００８】
上述した課題を解決するために、本発明のナースコール子機は、第一の呼出操作部を設けた第一の筐体と第二の呼出操作部を設けた第二の筐体との対向する面の一方に磁石のＳ極およびＮ極の何れか一方を取り付け、対向する面の他方に他方の極を取り付けるようにしている。
【０００９】
また、本発明の他の態様によれば、対向する面の一方に面ファスナーのフック側およびループ側の何れか一方を取り付け、対向する面の他方に他方の側を取り付けるようにしている。
【発明の効果】
【００１０】
上記のように構成した本発明によれば、第一の筐体と第二の筐体とが磁石または面ファスナーによって着脱可能であり、何れの筐体においても呼出操作が可能となるため、患者がナースコール子機を握って使用する場合には、第一の筐体と第二の筐体とを一体とした状態でナースコール子機を使用することができる。また、ナースコール子機をベッド上に置いて使用する場合には、第一の筐体と第二の筐体とを分離して、一方の筐体をベッド上の右側に置き、他方の筐体をベッド上の左側に置いて使用することができる。これにより、患者がナースコール子機を握っている場合でも、ナースコール子機がベッド上に置かれている場合でも、患者が容易かつ確実に呼出操作を行うことができる。
【図面の簡単な説明】
【００１１】
【図１】本実施形態によるナースコール子機の外観例を示す図である。
【図２】本実施形態によるナースコール子機の構成例を示すブロック図である。
【図３】本実施形態によるナースコール子機の外観の変形例を示す図である。
【発明を実施するための形態】
【００１２】
以下、本発明の一実施形態を図面に基づいて説明する。図１は、本実施形態によるナースコール子機１の外観例を示す図である。また、図２は、本実施形態によるナースコール子機１の構成例を示すブロック図である。図１および図２において、ナースコール子機１は、第一の筐体２ａ、第一の呼出操作部３ａ、第一の磁石４ａ、第一のコード５ａ、第一の制御部６ａ、第一のインターフェース部７ａ、第二の筐体２ｂ、第二の呼出操作部３ｂ、第二の磁石４ｂ、第二のコード５ｂ、第二の制御部６ｂ、第二のインターフェース部７ｂを備えて構成されている。
【００１３】
第一の筐体２ａは、内部に第一の制御部６ａおよび第一のインターフェース部７ａを収容しており、主にベッド上に置かれて使用される。あるいは、後述するように、第一の筐体２ａは、患者の頭部の周辺のベッド柵などに取り付けられる。また、第二の筐体２ｂは、内部に第二の制御部６ｂおよび第二のインターフェース部７ｂを収容しており、主にベッド上に置かれて使用される。あるいは、後述するように、第二の筐体２ｂは、患者の頭部の周辺のベッド柵などに取り付けられる。
【００１４】
第一の呼出操作部３ａはボタンおよびスイッチなどにより構成されており、患者が看護師を呼び出す際に操作される。また、第二の呼出操作部３ｂもボタンおよびスイッチなどにより構成されており、患者が看護師を呼び出す際に操作される。
【００１５】
第一の磁石４ａは第一の筐体に取り付けられている。ここで、第一の磁石４ａは、第二の筐体２ｂと対向する面がＳ極となるように第一の筐体２ａに取り付けられている。また、第二の磁石４ｂは第二の筐体に取り付けられている。ここで、第二の磁石４ａは、第一の筐体２ａと対向する面がＮ極となるように第二の筐体２ｂに取り付けられている。
【００１６】
なお、本実施形態では、第一の筐体２ａに取り付けられた第一の磁石４ａの表面がＳ極となり、第二の筐体２ｂに取り付けられた第二の磁石４ｂの表面がＮ極となるように各筐体２ａ、２ｂに各磁石４ａ、４ｂが取り付けられているが、これに限定されない。すなわち、第一の筐体２ａに取り付けられた第一の磁石４ａの表面がＮ極となり、第二の筐体２ｂに取り付けられた第二の磁石４ｂの表面がＳ極となるように各筐体２ａ、２ｂに各磁石４ａ、４ｂが取り付けられていても良い。
【００１７】
第一のコード５ａおよび第二のコード５ｂは、ともに図示しない壁面のウォールユニットに電気的に接続される。なお、本実施形態のナースコール子機１を無線式とした場合には、第一のコード５ａおよび第二のコード５ｂはともに不要である。また、第一の筐体２ａおよび第二の筐体２ｂの何れか一方に無線送信機を設け、他方に無線受信機を設け、無線受信機を設けた筐体とウォールユニットとをコードで接続することで、第一のコード５ａまたは第二のコード５ｂを不要とすることもできる。
【００１８】
第一の制御部６ａはマイコンなどにより構成されており、第一の呼出操作部３ａが操作されたことによりスイッチが押下された場合に呼出信号を生成する。また、第二の制御部６ｂもマイコンなどにより構成されており、第二の呼出操作部３ｂが操作されたことによりスイッチが押下された場合に呼出信号を生成する。
【００１９】
第一のインターフェース部７ａは、第一のコード５ａを接続しており、第一の制御部６ａにて生成された呼出信号を第一のコード５ａを介してウォールユニットへ出力する。第二のインターフェース部７ｂは、第二のコード５ｂを接続しており、第二の制御部６ｂにて生成された呼出信号を第二のコード５ｂを介してウォールユニットへ出力する。ここで、各呼出信号は、ウォールユニットを介して図示しないナースコール親機へ出力され、ナースコール親機では、呼び出しの報知が行われる。
【００２０】
このように構成されたナースコール子機１において、患者がナースコール子機１を握って使用する場合には、第一の筐体２ａと第二の筐体２ｂとを第一の磁石４ａおよび第二の磁石４ｂによって一体的に使用する。一方、ナースコール子機１をベッド上に置いて使用する場合には、第一の筐体２ａと第二の筐体２ｂとを分離して、第一の筐体２ａをベッド上の右側に置き、第二の筐体２ｂをベッド上の左側に置いて使用する。
【００２１】
なお、患者の頭部の周辺のベッド柵を鉄などの磁性体により構成することで、第一の筐体２ａおよび第二の筐体２ｂを各磁石４ａ、４ｂによりベッド柵に取り付けて使用することも可能である。このようにすれば、ナースコール子機１がベッド上から落ちてしまうことを防止することができる。
【００２２】
以上詳しく説明したように、本実施形態のナースコール子機１では、第一の呼出操作部３ａを設けた第一の筐体２ａの第二の筐体２ｂと対向する面がＳ極となるように第一の磁石４ａを第一の筐体２ａに取り付け、第二の呼出操作部３ｂを設けた第二の筐体２ｂの第一の筐体２ａと対向する面がＮ極となるように第二の磁石４ｂを第二の筐体２ｂに取り付けるようにしている。
【００２３】
これにより、第一の筐体２ａと第二の筐体２ｂとが各磁石４ａ、４ｂによって着脱可能であり、何れの筐体２ａ、２ｂにおいても呼出操作が可能となるため、患者がナースコール子機１を握って使用する場合には、第一の筐体２ａと第二の筐体２ｂとを一体とした状態でナースコール子機１を使用することができる。また、ナースコール子機１をベッド上に置いて使用する場合には、第一の筐体２ａと第二の筐体２ｂとを分離して、第一の筐体２ａをベッド上の右側に置き、第二の筐体２ｂをベッド上の左側に置いて使用することができる。従って、患者がナースコール子機１を握っている場合でも、ナースコール子機１がベッド上に置かれている場合でも、患者が容易かつ確実に呼出操作を行うことができる。
【００２４】
なお、上述した本実施形態のナースコール子機１では、第一の筐体２ａと第二の筐体２ｂとを磁石４ａ、４ｂによって着脱可能としているが、これに限定されない。例えば、ナースコール子機１の第一の筐体２ａおよび第二の筐体２ｂの対向する面の一方に面ファスナーのフック側およびループ側の何れか一方を取り付け、対向する面の他方に面ファスナーの他方の側を取り付けるようにしても良い。このとき、ベッド柵やベッド上に面ファスナーを設け、この面ファスナーに第一の筐体２ａおよび第二の筐体２ｂに設けた面ファスナーに付けることで、ナースコール子機１がベッド上から落下することを防止することができる。
【００２５】
また、上述した実施形態では、第一の呼出操作部３ａおよび第二の呼出操作部３ｂを各筐体２ａ、２ｂの先端部分に設けるようにしているが、これに限定されない。例えば、図３に示すように、第一の呼出操作部３ａを第一の筐体２ａの第一の磁石４ａが設けられた側と反対側の面に設けるようにし、第二の呼出操作部３ｂを第二の筐体２ｂの第二の磁石４ｂが設けられた側と反対側の面に設けるようにしても良い。
【００２６】
その他、上記実施形態は、本発明を実施するにあたっての具体化の一例を示したものに過ぎず、これによって本発明の技術的範囲が限定的に解釈されてはならないものである。すなわち、本発明はその精神、またはその主要な特徴から逸脱することなく、様々な形で実施することができる。
【符号の説明】
【００２７】
１    ナースコール子機
２ａ    第一の筐体
２ｂ    第二の筐体
３ａ    第一の呼出操作部
３ｂ    第二の呼出操作部
４ａ    第一の磁石
４ｂ    第二の磁石
【図１】
2017000212.tif 000003
【図２】
2017000212.tif 000004
【図３】
2017000212.tif 000005